(57)【要約】      （修正有）【課題】動物を捕らえる捕獲籠において、動物の動きを制限し、動物からの危害に対して作業者の安全を確保する罠補助具と、罠補助具を含み、動物を容易、確実かつ安全に、又短時間で移動させることができる罠セットを提供する。【解決手段】開閉扉有する格子状の捕獲籠２における動物６の動きを制御する罠補助具１であって、捕獲籠を貫通し動物がすり抜けない間隔で配置される複数本の横串と、複数本の横串の直行方向に連結し複数本の横串を位置固定する２本以上の縦串とからなる構成とした。この罠補助具と、捕獲籠と、捕獲籠で捕らえた動物を目的地に運搬するための移動籠３とを備える罠セットであって、罠補助具が、動物を捕獲籠から移動籠へ移送させる際、捕獲籠と移動籠が連通するまで、捕獲籠の出入口２ｂの反対側に仕切区域を形成し、動物を仕切区域に留め置くべく、捕獲籠に刺される。【選択図】図５
0003232745.tif 000002
【実用新案登録請求の範囲】
【請求項１】
開閉扉有する格子状の捕獲籠における動物の動きを制御する罠補助具であって、
前記捕獲籠を貫通し前記動物がすり抜けない間隔で配置される複数本の横串と、前記複数本の横串の直行方向に連結し前記複数本の横串を位置固定する２本以上の縦串とからなることを特徴とする罠補助具。
【請求項２】
前記捕獲籠と、前記捕獲籠で捕らえた前記動物を目的地に運搬するための移動籠と、前記罠補助具を備え、
前記罠補助具が、前記動物を前記捕獲籠から前記移動籠へ移送させる際、前記捕獲籠と前記移動籠が連通するまで、前記捕獲籠の反出入口側に仕切区域を形成し、前記動物を前記仕切区域に留め置くべく、前記捕獲籠に刺されることを特徴とする請求項１に記載の罠セット。
【請求項３】
さらに、前記捕獲籠と前記移動籠を連絡するトンネルを備え、前記罠補助具による前記仕切区域形成を解除したのち、前記動物が、前記捕獲籠から出て前記トンネルを通り、前記移動籠に移動可能としたことを特徴とする請求項２に記載の罠セット。
【考案の詳細な説明】
【技術分野】
【０００１】
本考案は、動物を捕らえる捕獲籠において、動物の動きを制限し、動物からの危害に対して作業者の安全を確保する罠補助具と、罠補助具を含み、動物を容易、確実かつ安全に、又短時間で移動させることができる罠セットに関する。
【背景技術】
【０００２】
昨今、アライグマ、ハクビシンなどの害獣、外来動物の増殖により、農作物の食害、住居侵入、噛みつきなどの身体的傷害などが問題になっている。そこで、行政、民間業者により、それら動物、その他、野生動物、ペットなど（以下、単に「動物」という）の捕獲が進められており、年々動物の捕獲数は増えている。
【０００３】
従来は、捕獲した動物を処理場までは、捕獲籠ごと移動させていたが、動物の捕獲数が増加している昨今、捕獲籠ごと処理場まで移動させると、捕獲場所にまた捕獲籠を設置に戻る必要があり、その移動、設置作業に相当の時間を要することとなる。
【０００４】
そこで、それら捕獲対象の動物を捕獲した後は、捕獲籠から移動籠に捕獲した動物を捕獲場所で移して、捕獲籠は捕獲できるように同じ場所に設定し、捕獲した動物は移動籠で処理場まで運んでいる。
【０００５】
他方、捕獲籠から移動籠への動物の移動は、特許文献１に示すように、煩雑で、動物が暴れることもあり、また逃げ出すること、かみつきなどの傷を負うこともあり、作業者にとって、とても煩雑で時間、技術を要するうえ、精神的負担の大きい作業であった。
【先行技術文献】
【特許文献】
【０００６】
【特許文献１】実用新案登録第３０８９１３３号公報
【考案の概要】
【考案が解決しようとする課題】
【０００７】
そこで、本考案は、動物を捕らえる捕獲籠において、動物の動きを制限し、動物からの危害に対して作業者の安全を確保する罠補助具と、罠補助具を含み、動物を容易、確実かつ安全に、又短時間で移動させることができる罠セットを提供することを目的とする。
【課題を解決するための手段】
【０００８】
本考案は、上記の課題を解決するために、
（１）
開閉扉有する格子状の捕獲籠における動物の動きを制御する罠補助具であって、
前記捕獲籠を貫通し前記動物がすり抜けない間隔で配置される複数本の横串と、前記複数本の横串の直行方向に連結し前記複数本の横串を位置固定する２本以上の縦串とからなることを特徴とする罠補助具。
（２）
前記捕獲籠と、前記捕獲籠で捕らえた前記動物を目的地に運搬するための移動籠と、前記罠補助具を備え、
前記罠補助具が、前記動物を前記捕獲籠から前記移動籠へ移送させる際、前記捕獲籠と前記移動籠が連通するまで、前記捕獲籠の反出入口側に仕切区域を形成し、前記動物を前記仕切区域に留め置くべく、前記捕獲籠に刺されることを特徴とする（１）に記載の罠セット。
（３）
さらに、前記捕獲籠と前記移動籠を連絡するトンネルを備え、前記罠補助具による前記仕切区域形成を解除したのち、前記動物が、前記捕獲籠から出て前記トンネルを通り、前記移動籠に移動可能としたことを特徴とする（２）に記載の罠セット。
（４）
前記トンネルが、組み立て式であることを特徴とする（３）に記載の罠セット。
（５）
前記捕獲籠及び前記移動籠の扉は、上下開閉又は横方向開閉式或いはスライド式であることを特徴とする（２）又は（３）に記載の罠セット。
とした。
【考案の効果】
【０００９】
動物を捕らえる捕獲籠において、動物の動きを制限し、動物からの危害に対して作業者の安全を確保する罠補助具と、罠補助具を含み、動物を容易、確実かつ安全に、又短時間で移動させることができる罠セットを提供できるようになった。
【図面の簡単な説明】
【００１０】
【図１】本考案である罠補助具の（Ａ）正面図、（Ｂ）右側面図である。
【図２】捕獲籠により捕獲された動物の移動籠への移動方法の説明図であり、動物を捕獲籠で捕獲したときの写真である。
【図３】捕獲籠により捕獲された動物の移動籠への移動方法の説明図であり、捕獲された動物が出入口側にいけないよう、動物の動きを制限（保定）するため、本考案の罠補助具を捕獲籠に刺している途中の写真である。
【図４】捕獲籠により捕獲された動物の移動籠への移動方法の説明図であり、捕獲された動物出入口側にいけないよう、本考案の罠補助具を捕獲籠の側方から刺して、捕獲籠の反出入口側に仕切区域を形成し、そこに動物を留め置き、動物の動きを制限しているときの写真である。
【図５】捕獲籠により捕獲された動物の移動籠への移動方法の説明図であり、動物を保定したままで、捕獲籠の出入口の前方に、動物を処理場まで移動させるための移動籠を設置している様子の写真である。
【図６】捕獲籠により捕獲された動物の移動籠への移動方法の説明図であり、移動籠の出入口の扉を開け終えた状態の写真である。
【図７】捕獲籠により捕獲された動物の移動籠への移動方法の説明図であり、捕獲籠と移動籠との間に下向きの断面コの字型の通路（トンネル）を配置する様子の写真である。
【図８】捕獲籠により捕獲された動物の移動籠への移動方法の説明図であり、捕獲籠と移動籠との間にトンネルを配置し終えた状態の写真である。
【図９】捕獲籠により捕獲された動物の移動籠への移動方法の説明図であり、動物を保定したまま、捕獲籠の出入口の扉を開けている状態の写真である。
【図１０】捕獲籠により捕獲された動物の移動籠への移動方法の説明図であり、捕獲籠の扉をトンネルの上に設置した後、本考案の罠補助具を捕獲籠から引き抜き捕獲籠と移動籠をトンネルで連通させようとしている状態の写真である。
【図１１】捕獲籠により捕獲された動物の移動籠への移動方法の説明図であり、本考案の罠補助具を捕獲籠から引き抜き、捕獲籠と移動籠をトンネルで連通させた状態の写真である。
【図１２】捕獲籠により捕獲された動物の移動籠への移動方法の説明図であり、本考案の罠補助具を捕獲籠に上方から刺して動物を移動籠に追い立てている状態の写真である。
【図１３】捕獲籠により捕獲された動物の移動籠への移動方法の説明図であり、動物が移動籠に移り、移動籠（罠）の扉が、入室に伴い連動して閉まった後、移動籠を処理場に向け、持ち運ぼうとしている状態の写真である。
【考案を実施するための形態】
【００１１】
以下、添付の図面を参照し、本考案の実施の形態の一例について詳細に説明する。なお、本考案は下記実施例に限定されるものではない。
【実施例１】
【００１２】
図１に示すように、本考案の罠補助具１は、捕獲籠を貫通し、前記動物がすり抜けない間隔１ｃで配置される複数本の横串１ａと、複数本の横串１ａの直交方向に連結し、複数本の横串１ａを位置固定する２本以上の縦串１ｄとからなり、開閉扉有する格子状の捕獲籠における動物の動きを制御する罠補助具である。
【００１３】
なお、ここでは、横串１５本、縦串３本としており、それらは、溶接で接合してある。また、横串１ａの先端１ｂは、格子状の捕獲籠に引っかからず、刺さり易いよう、先端が先端に向けテーパーにしてある。また、横串１ａ、縦串１ｄの太さは、６ｍｍ程度あると、強度が十分に確保できる。
【実施例２】
【００１４】
図２−１３に示すように、本考案である罠セット５は、捕獲籠２と、移動籠３と、罠補助具１と、捕獲籠２及び移動籠３の形状、或いは動物の移動方法に応じてトンネル４をさらに備えてなる。
【００１５】
捕獲籠２と移動籠３は、既存の捕獲罠でよく、捕獲籠２及び移動籠３の扉は、上下開閉又は横方向開閉式或いはスライド式いずれでもよい。なお、移動籠３は、動物の移動に伴って、自動で扉が閉まる方式が安全である。また、捕獲籠２で捕らえた動物６を目的地に運搬するためのものである。罠補助具１は、実施例１に備品で説明の通りである。
【００１６】
このようにしてなる、罠セットは、動物６を捕獲籠２から移動籠３へ移送させる際、捕獲籠２と移動籠３が連通するまで、捕獲籠２の反出入口側に仕切区域を形成し、動物６を仕切区域に留め置くべく、捕獲籠２に罠補助具１を刺して利用する。
【００１７】
トンネル４は、必要に応じて、捕獲籠２と移動籠３を連絡し、動物６が逃げ出すことなく、暴れ、作業者に危害を与えることなく、より、動物を容易、確実かつ安全に、又短時間で捕獲籠２から移動籠３に移動させることができる通路を形成する。トンネル４は、折りたたみ式であると、収納、移動がコンパクトで便利である。
【００１８】
罠補助具１による仕切区域２ｄを開放したのち、動物６が、捕獲籠２から出てトンネル４を通り、移動籠３に移動可能にする。
【００１９】
次に、図２−１３を参照して、捕獲された動物６を、捕獲籠２から移動籠３に移動させる方法を説明する。
【００２０】
先ず、図２に示すように、捕獲対象の動物６が出没する場所で、一般に使用されている罠である捕獲籠２で、動物６を捕獲する。その状態で、図３に示すように、捕獲された動物６が出入口２ｂの扉２ａ側にいけないよう、動物６の動きを制限（保定）するため、本考案の罠補助具１を捕獲籠２に刺す。
【００２１】
その結果、図４に示すように、捕獲された動物６が出入口２ｂ側にいけないよう、本考案の罠補助具１を捕獲籠２の側方の格子２ｃから刺して、捕獲籠２の反出入口２ｂ側に仕切区域２ｄを形成し、仕切区域２ｄに動物６を留め置き、動物６の動きを制限することができる。
【００２２】
次に、図５に示すように、動物６を保定したままで、捕獲籠２の出入口２ｂの前方に、動物６を処理場まで移動させるための移動籠３を、扉２ａ（出入口２ｂ）と扉３ａ（出入口３ｂ）とを向かい合わせに設置する。そして、図６に示すように、移動籠３の出入口３ｂの扉３ａを開ける。なお、移動籠３は一般的な罠であるので、動物６が移動籠３に入ると自動で扉３ａが降りて閉まる。
【００２３】
さらに、図７、８に示すように、捕獲籠２と移動籠３との間に下向きの断面コの字型の通路（トンネル４）を配置する。ここでは、トンネル４を含めて、本考案の罠セット５としたが、トンネル４は必要に応じて採用すればよい。
【００２４】
その後、図９に示すように、動物６を仕切区域２ｄに保定したまま、捕獲籠２の出入口２ｂの扉２ａを開けた後、図１０に示すように、捕獲籠２の扉２ａをトンネル４の上に設置する。そして、図１１に示すように、本考案の罠補助具１を捕獲籠２から引き抜き、捕獲籠２と移動籠３をトンネル４で連通させる。これで、動物６を移動させるための設定は完了である。そして、動物６が自ら移動籠３内に移動すれば、移動籠３の扉３ａが閉まり、動物６の移動も完了する。
【００２５】
他方、動物６が移動籠３に移動しない場合には、図１２に示すように、本考案の罠補助具１を捕獲籠２に上方などから刺して動物６を移動籠３に追い立てることで、移動させることができる。
【００２６】
最終的には、図１３に示すように、動物６は、移動籠３に移り、移動籠３の扉３ａが動物６の入室に伴い連動して閉まる。移動籠３は動物６の処理場に向け、持ち運ぶことができ、捕獲籠２は、設置場所に残置したまま、継続して捕獲に使用することができる。
【符号の説明】
【００２７】
１      罠補助具
１ａ    横串
１ｂ    先端
１ｃ    間隔
１ｄ    縦串
２      捕獲籠
２ａ    扉
２ｂ    出入口
２ｃ    格子
２ｄ    仕切区域
３      移動籠
３ａ    扉
３ｂ    出入口
４      トンネル
５      罠セット
６      動物
【図１】
0003232745.tif 000003
【図２】
0003232745.tif 000004
【図３】
0003232745.tif 000005
【図４】
0003232745.tif 000006
【図５】
0003232745.tif 000007
【図６】
0003232745.tif 000008
【図７】
0003232745.tif 000009
【図８】
0003232745.tif 000010
【図９】
0003232745.tif 000011
【図１０】
0003232745.tif 000012
【図１１】
0003232745.tif 000013
【図１２】
0003232745.tif 000014
【図１３】
0003232745.tif 000015
【手続補正書】
【提出日】令和3年4月27日(2021.4.27)
【手続補正１】
【補正対象書類名】実用新案登録請求の範囲
【補正対象項目名】全文
【補正方法】変更
【補正の内容】
【実用新案登録請求の範囲】
【請求項１】
開閉扉有する格子状の捕獲籠における動物の動きを制御する罠補助具であって、
前記捕獲籠を貫通し前記動物がすり抜けない間隔で配置される複数本の横串と、前記複数本の横串の直行方向に連結し前記複数本の横串を位置固定する２本以上の縦串とからなることを特徴とする罠補助具。
【請求項２】
請求項１に記載の罠補助具と、前記捕獲籠と、前記捕獲籠で捕らえた前記動物を目的地に運搬するための移動籠とを備え、
前記罠補助具が、前記動物を前記捕獲籠から前記移動籠へ移送させる際、前記捕獲籠と前記移動籠が連通するまで、前記捕獲籠の反出入口側に仕切区域を形成し、前記動物を前記仕切区域に留め置くべく、前記捕獲籠に刺されることを特徴とする罠セット。
【請求項３】
さらに、前記捕獲籠と前記移動籠を連絡するトンネルを備え、前記罠補助具による前記仕切区域形成を解除したのち、前記動物が、前記捕獲籠から出て前記トンネルを通り、前記移動籠に移動可能としたことを特徴とする請求項２に記載の罠セット。
【手続補正２】
【補正対象書類名】明細書
【補正対象項目名】０００８
【補正方法】変更
【補正の内容】
【０００８】
本考案は、上記の課題を解決するために、
（１）
開閉扉有する格子状の捕獲籠における動物の動きを制御する罠補助具であって、
前記捕獲籠を貫通し前記動物がすり抜けない間隔で配置される複数本の横串と、前記複数本の横串の直行方向に連結し前記複数本の横串を位置固定する２本以上の縦串とからなることを特徴とする罠補助具。
（２）
（１）に記載の罠補助具と、前記捕獲籠と、前記捕獲籠で捕らえた前記動物を目的地に運搬するための移動籠とを備え、
前記罠補助具が、前記動物を前記捕獲籠から前記移動籠へ移送させる際、前記捕獲籠と前記移動籠が連通するまで、前記捕獲籠の反出入口側に仕切区域を形成し、前記動物を前記仕切区域に留め置くべく、前記捕獲籠に刺されることを特徴とする罠セット。
（３）
さらに、前記捕獲籠と前記移動籠を連絡するトンネルを備え、前記罠補助具による前記仕切区域形成を解除したのち、前記動物が、前記捕獲籠から出て前記トンネルを通り、前記移動籠に移動可能としたことを特徴とする（２）に記載の罠セット。
（４）
前記トンネルが、組み立て式であることを特徴とする（３）に記載の罠セット。
（５）
前記捕獲籠及び前記移動籠の扉は、上下開閉又は横方向開閉式或いはスライド式であることを特徴とする（２）又は（３）に記載の罠セット。
とした。